(57)【要約】【課題】  光ディスクレコーダにおいて、光ディスクにデータを書き込み中に停電が発生した場合に、バッファメモリに記憶されていたデータを保存して電力回復後に保存されていたデータの書き込みを再開する。【解決手段】  光ディスク２のＩＣタグ６との間でデータの送受信を行うデータ通信部１６、停電の発生及び電力の回復を検出する停電検出部１７、ＴＶチューナ１１により受信され信号変換部１２によってディジタル化されたＴＶ信号データを一時的に記憶するバッファメモリ１３、停電時にバッファメモリ１３及びデータ通信部１６に電力を供給するバックアップ用電源２０を備え、停電発生時にデータ通信部１６によりバッファメモリ１３に記憶されていたデータをＩＣタグ６に書き込み、電力回復時にＩＣタグ６からデータを読み出して、光ディスク２に書き込む。【選択図】図１
2005302226.tif 000002
【特許請求の範囲】
【請求項１】
光ディスクに対して第１の強度のレーザ光を照射して、光ディスクに対してデータの書き込みを行い、光ディスクに対して前記第１の強度よりも弱い第２の強度のレーザ光を照射し、光ディスクからの反射光を用いて光ディスクからデータ及び光ディスクのアドレス情報を読み出す光ピックアップと、前記光ピックアップを駆動する光ピックアップ駆動手段と、ＴＶ放送信号を受信するチューナと、前記チューナにより受信したＴＶ放送信号に所定の信号処理を行い、光ディスクに書き込み可能なディジタル信号に変換する信号変換手段と、前記ディジタル信号を一時的に記憶するバッファメモリと、前記各部を制御する制御手段を備えた光ディスクレコーダにおいて、
光ディスクがＩＣタグ及びアンテナコイルを備えている場合に、光ディスクのＩＣタグとの間でデータの送受信を行うデータ通信手段と、停電の発生及び電力の回復を検出する停電検出手段と、停電時に所定時間だけ前記バッファメモリ及び前記データ通信手段を駆動しうる容量を有するバックアップ用電源をさらに備え、
前記バッファメモリは、所定量のすでに光ディスクに書き込まれたデータ、現在光ディスクに書き込まれつつあるデータ及びまだ光ディスクに書き込まれていないデータを記憶し、
前記光ピックアップを駆動して光ディスクにデータを書き込んでいる途中で前記停電検出手段により停電の発生が検出されたときに、前記バックアップ用電源により前記バッファメモリ及び前記データ通信手段に電力を供給し、前記データ通信手段により停電発生時にデータの書き込みを行っていた領域に関するアドレス情報及び少なくとも停電発生時に前記バッファメモリに記憶されていたデータを光ディスクのＩＣタグに書き込み、
前記停電検出手段により電力の回復が検出されたときに、前記データ通信手段により前記ＩＣタグに記憶されているアドレス情報及びデータを読み出し、読み出したアドレス情報を基にして、停電発生時にデータの書き込みを行っていた領域からデータの書き込みを続行することにより、光ディスクに書き込まれたデータの破壊を防止したことを特徴とする光ディスクレコーダ。
【請求項２】
光ディスクに対してレーザ光を照射してデータの書き込みを行う光ディスクレコーダにおいて、
前記光ピックアップを駆動して光ディスクにデータを書き込んでいる途中で停電が発生すると、バックアップ用電源により、停電発生時にデータの書き込みを行っていた領域に関するアドレス情報及び少なくとも停電発生時にバッファメモリに記憶されていたデータを不揮発性メモリに書き込み、
電力回復時に、前記不揮発性メモリに記憶されているアドレス情報及びデータを読み出し、読み出したアドレス情報を基にして、停電発生時にデータの書き込みを行っていた領域からデータの書き込みを続行することを特徴とする光ディスクレコーダ。
【請求項３】
前記不揮発性メモリは、光ディスクに設けられたＩＣタグであることを特徴とする請求項２に記載の光ディスクレコーダ。
【発明の詳細な説明】
【技術分野】
【０００１】
本発明は、書き込み可能な光ディスクに対してデータの書き込みを行う光ディスクレコーダ、特にその停電時のバックアップ対策に関する。
【背景技術】
【０００２】
書き込み可能な光ディスクなどの記録媒体に対して、データ書き込みなどを行っている途中に停電が生じた場合、単にデータ書き込みなどが中断されるだけでなく、書き込み中のデータが破壊されて読み出し不能になったりすることが起こりうる。そのため、従来から、バッテリによりキャッシュメモリに記憶されているデータをハードディスクなどの不揮発性メモリに保存させる記録媒体ライブラリアレイ装置が提案されている（特許文献１参照）。
【０００３】
また、電源の異常を検出した場合に、電源が瞬断又は停電する前に、書き込み中のデータを不揮発性メモリに保存し、電源再投入後に不揮発性メモリに保存していたデータを読み出す磁気ディスク制御装置も提案されている（特許文献２参照）。
【０００４】
さらに、ミニディスクなどの記録媒体にデータを記録している途中で電源が遮断された場合に、すでに記録されたデータを途中まで再生することを可能にするために、ＵＴＯＣ(User Table Of Contents)情報を不揮発性メモリに書き込んでおき、電源遮断後、電源が再投入されたときに、不揮発性メモリに記憶されているＵＴＯＣ情報を記録媒体に書き込むディスク記録再生装置が提案されている（特許文献３参照）。
【０００５】
さらに、電源遮断時に、バッファメモリに一時記憶されているデータを待避させるために、バックアップ電池及び不揮発性メモリを備えた一時記憶情報バックアップ装置も提案されている（特許文献４参照）。
【特許文献１】特開２００１−４３５９８号公報
【特許文献２】特開昭６３−１０６９６０公報
【特許文献３】特開平８−７７７４９号公報
【特許文献４】特開平９−３５４１７号公報
【発明の開示】
【発明が解決しようとする課題】
【０００６】
特許文献１の装置では、不揮発性メモリとしてハードディスクを用いているため、ハードディスクを駆動しうる大型のバックアップ電源を必要とし、装置が大型化し、コストが高くなる。
【０００７】
特許文献２の装置では、電源が瞬断又は停電する前に電源の異常を検出する必要があり、突然生じた瞬断や停電に対応することができない。
【０００８】
特許文献３の装置によれば、記録媒体にすでに書き込まれたデータは再生できるものの、停電発生時にバッファメモリに一時記憶されていたデータは失われてしまい、記録及び再生することができない。
【０００９】
特許文献４の装置によれば、停電が発生してからバッファメモリに一時記憶されているデータを不揮発性メモリに待避させるので、電源が正常なときは不揮発性メモリが有効に利用されていないことになる。バッファメモリに記憶されているデータ量とバックアップ電池の容量によっては、一部のデータが失われる可能性もある。
【００１０】
本発明は、上記の問題を解決するためになされたものであり、光ディスクにデータ書き込み中に停電が発生した場合に、少ない電力でバッファメモリに記憶されているデータを不揮発性メモリに保存させることが可能であると共に、電力回復後、停電発生時にデータの書き込みを行っていた領域から、不揮発性メモリに保存されたデータの書き込みを続行しうる光ディスク装置を提供することを目的とする。
【課題を解決するための手段】
【００１１】
上記目的を達成するため、請求項１の発明は、光ディスクに対して第１の強度のレーザ光を照射して、光ディスクに対してデータの書き込みを行い、光ディスクに対して前記第１の強度よりも弱い第２の強度のレーザ光を照射し、光ディスクからの反射光を用いて光ディスクからデータ及び光ディスクのアドレス情報を読み出す光ピックアップと、前記光ピックアップを駆動する光ピックアップ駆動手段と、ＴＶ放送信号を受信するチューナと、前記チューナにより受信したＴＶ放送信号に所定の信号処理を行い、光ディスクに書き込み可能なディジタル信号に変換する信号変換手段と、前記ディジタル信号を一時的に記憶するバッファメモリと、前記各部を制御する制御手段を備えた光ディスクレコーダにおいて、光ディスクがＩＣタグ及びアンテナコイルを備えている場合に、光ディスクのＩＣタグとの間でデータの送受信を行うデータ通信手段と、停電の発生及び電力の回復を検出する停電検出手段と、停電時に所定時間だけ前記バッファメモリ及び前記データ通信手段を駆動しうる容量を有するバックアップ用電源をさらに備え、前記バッファメモリは、所定量のすでに光ディスクに書き込まれたデータ、現在光ディスクに書き込まれつつあるデータ及びまだ光ディスクに書き込まれていないデータを記憶し、前記光ピックアップを駆動して光ディスクにデータを書き込んでいる途中で前記停電検出手段により停電の発生が検出されたときに、前記バックアップ用電源により前記バッファメモリ及び前記データ通信手段に電力を供給し、前記データ通信手段により停電発生時にデータの書き込みを行っていた領域に関するアドレス情報及び少なくとも停電発生時に前記バッファメモリに記憶されていたデータを光ディスクのＩＣタグに書き込み、前記停電検出手段により電力の回復が検出されたときに、前記データ通信手段により前記ＩＣタグに記憶されているアドレス情報及びデータを読み出し、読み出したアドレス情報を基にして、停電発生時にデータの書き込みを行っていた領域からデータの書き込みを続行することにより、光ディスクに書き込まれたデータの破壊を防止したことを特徴とする。
【００１２】
請求項２の発明は、光ディスクに対してレーザ光を照射してデータの書き込みを行う光ディスクレコーダにおいて、前記光ピックアップを駆動して光ディスクにデータを書き込んでいる途中で停電が発生すると、バックアップ用電源により、停電発生時にデータの書き込みを行っていた領域に関するアドレス情報及び少なくとも停電発生時にバッファメモリに記憶されていたデータを不揮発性メモリに書き込み、電力回復時に、前記不揮発性メモリに記憶されているアドレス情報及びデータを読み出し、読み出したアドレス情報を基にして、停電発生時にデータの書き込みを行っていた領域からデータの書き込みを続行することを特徴とする。
【００１３】
請求項３の発明は、請求項２の光ディスクレコーダにおいて、前記不揮発性メモリは、光ディスクに設けられたＩＣタグであることを特徴とする。
【発明の効果】
【００１４】
請求項１の発明によれば、光ディスクにデータを書き込んでいる途中に停電が発生したとしても、所定時間バックアップ用電源によりバッファメモリに記憶されているデータが保持される。その間、データ通信手段もバックアップ用電源により駆動され、停電発生時にデータの書き込みを行っていた領域に関するアドレス情報及び少なくとも停電発生時にバッファメモリに記憶されていたデータを不揮発性メモリである光ディスクのＩＣタグに書き込まれるので、その後バックアップ用電源が停止したとしても、停電発生時にバッファメモリに記憶されていたデータが失われることはない。そのため、電力回復時には、ＩＣタグに保存されているアドレス情報を読み出すことにより、停電発生時にデータの書き込み中であった領域を知ることができる。従って、停電発生時にデータの書き込み中であった領域からＩＣタグに記憶されていたデータの書き込みを続行すれば、停電発生時までにバッファメモリに記憶されていたデータの再生が可能となる。特に、バックアップ用電源は、所定時間、具体的には停電発生時にバッファメモリに記憶されていたデータをＩＣタグに書き込むのに十分な時間だけ持てばよく、また、光ピックアップや光ディスクを回転させるためのスピンドルモータを駆動しないので、従来例に比べてその容量を少なくすることができる。さらに、不揮発性メモリとして光ディスクに設けられたＩＣタグを用いているので、電力回復後に光ディスクが光ディスクレコーダから取り出されたとしても、ＩＣタグに記憶されたアドレス情報は失われることはない。そのため、再度その光ディスクを光ディスクレコーダに装填すると、停電発生時にデータの書き込み中であった領域からデータの書き込みを続行することができる。
【００１５】
請求項２の発明によれば、停電発生時にデータの書き込みを行っていた領域に関するアドレス情報及びバッファメモリに記憶されていたデータが不揮発性メモリに書き込まれて保存されるので、その後バックアップ用電源が停止したとしても停電発生時にバッファメモリに記憶されていたデータが失われることはない。そのため、電力回復時には、ＩＣタグに保存されているアドレス情報及びデータを読み出すことにより、停電発生時にデータの書き込み中であった領域からＩＣタグに記憶されていたデータの書き込みを続行することができ、停電発生時までにバッファメモリに記憶されていたデータの再生が可能となる。
【００１６】
請求項３の発明によれば、不揮発性メモリとして光ディスクに設けられたＩＣタグを用いているので、電力回復後に光ディスクが光ディスクレコーダから取り出されたとしても、ＩＣタグに記憶されたアドレス情報及びデータは失われることはない。そのため、再度その光ディスクを光ディスクレコーダに装填すると、停電発生時にデータの書き込み中であった領域からデータの書き込みを続行することができる。
【発明を実施するための最良の形態】
【００１７】
本発明の一実施の形態に係る光ディスクレコーダについて説明する。本実施の形態の光ディスクレコーダのブロック構成を図１に示す。なお、図１は光ディスクレコーダの一例として、ＤＶＤ（Digital Versatile Disk)にテレビジョン（ＴＶ）放送信号を記録するＤＶＤレコーダの構成を示している。なお、本発明の光ディスクレコーダはＤＶＤレコーダに限定されるものではなく、その他の光ディスクに対してデータの書き込み及び読み出しができるものであればよい。
【００１８】
光ディスクレコーダ１は、ＤＶＤ−ＲやＤＶＤ−ＲＷなどの光ディスク２に対してデータの書き込み及び読み出しを行うフロントエンド部１０、ＴＶ放送信号を受信するチューナ１１、チューナ１１により受信したＴＶ放送信号に所定の信号処理を行い、光ディスクに書き込み可能なディジタル信号（以下、ＴＶ信号データとする）に変換する信号変換部１２、ＴＶ信号データを一時的に記憶するバッファメモリ１３、光ディスクレコーダ１の各部を制御するシステム制御部１４、光ピックアップを駆動する光ピックアップ駆動部１５、光ディスクのＩＣタグとの間でデータの送受信を行うデータ通信部１６、停電の発生及び電力の回復を検出する停電検出部１７、ＴＶ信号データをアナログ信号に変換してＣＲＴや液晶ディスプレイなどのモニタ装置５に出力するＤ／Ａ変換部１８、タイマーを内蔵し、番組予約などを管理する番組管理部１９、バックアップ用電源２０などで構成されている。
【００１９】
フロントエンド部１０は、装填された光ディスク２を回転させるスピンドルモータ３と、光ディスク２に対して第１の強度のレーザ光を照射して、光ディスク２に対してフォーマット及びデータの書き込みを行い、光ディスク２に対して第１の強度よりも弱い第２の強度のレーザ光を照射して、光ディスク２からの反射光を用いて光ディスク２からデータ及びアドレス情報を読み出す光ピックアップ４などを備えている。
【００２０】
信号変換部１２は、チューナ１１により受信したＴＶ放送信号を光ディスク２に記録する場合、ディジタル信号に変換し、さらにビデオレコーディング規格に従って圧縮符号化する。そして、圧縮符号化されたＴＶ信号データを一旦バッファメモリ１３に記憶させる。光ディスクレコーダ１では、光ピックアップ４により光ディスク２に対してＴＶ信号データを書き込んだり、あるいは光ディスク２からＴＶ信号データを読み出したりする速度の方が、チューナ１１によりＴＶ放送信号を受信する速度よりも速い。そのため、光ディスク２にＴＶ番組を録画しながら、すでに録画した部分を再生する「追っかけ再生」などが可能である。
【００２１】
バッファメモリ１３は、信号変換部１２から出力されたＴＶ信号データを一時的に記憶するが、現在光ディスク２に書き込まれつつあるＴＶ信号データ及びまだ光ディスク２に書き込まれていないＴＶ信号データだけでなく、所定量のすでに光ディスク２に書き込まれたＴＶ信号データも記憶している。すなわち、光ディスク２へのＴＶ信号データの書き込み中に停電が発生することを考慮して、光ピックアップ駆動部１５にＴＶ信号データを出力してもそのＴＶ信号データを直ぐには捨てず、ＴＶ信号データの再書き込みが可能なように、常に所定量だけすでに光ディスク２に書き込まれたＴＶ信号データも記憶している。
【００２２】
停電検出部１７は、例えば内蔵２次電池又はバックアップ用電源２０によって駆動され、例えば商用交流電源などで停電が発生したことを検出すると共に、停電が発生した事実をフラッシュメモリなどの不揮発性メモリに記憶する。また、電力回復時には、電力が回復したことを検出し、停電発生及び電力回復を示す所定の信号を出力する。
【００２３】
システム制御部１４は、制御プログラムなどを記憶したＲＯＭ、制御プログラムに従って演算処理を行うＣＰＵ、演算データなどを一時的に記憶するＲＡＭなどで構成されており、後述する光ディスク２のフォーマットや光ディスク２へのデータの書き込みなど光ディスクレコーダ１の諸機能を実行すると共に、チューナ１１、データ通信部１６など光ディスクレコーダ１の各部の制御を行う。
【００２４】
本実施の形態の光ディスクレコーダ１は、ＩＣタグ６及びアンテナコイル７を備えた光ディスク２に対応しており、データ通信部１６は、光ディスク２のＩＣタグ６との間でデータの送受信を行う。データ通信部１６は、アンテナコイル８を有しており、このアンテナコイル８に電流を流すことにより磁界を発生させる。この磁界中で、光ディスク２を回転させると、光ディスク２に設けられたアンテナコイル７に電流が流れ、ＩＣタグ６に電力が供給される。その際、データ通信部１６側のアンテナコイル８に流れる電流をＩＣタグに書き込むデータを用いて変調すれば、光ディスク２側のアンテナコイル７に流れる電流が変化するので、ＩＣタグ６に書き込むデータ及び書き込み命令などを送信することができる。ＩＣタグ６は、アンテナコイル７に流れる電流を復調して送信されたデータ及び書き込み命令を抽出し、データをフラッシュメモリなどの不揮発性メモリに記憶する。
【００２５】
ＩＣタグ６からデータを読み出す場合も同様に、データ通信部１６からＩＣタグ６に対して読み出し命令を送信する。読み出し命令を受信すると、ＩＣタグ６は、内蔵する不揮発性メモリから送信するデータを読み出し、読み出したデータを用いてアンテナコイル７に流れる電流を変調する。光ディスク２側のアンテナコイル７に電流が流れると、データ通信部１６側のアンテナコイル８に流れる電流によって発生される磁界と逆向きの磁界が発生され、データ通信部１６側のアンテナコイル８に流れる電流に影響を及ぼす。そのため、データ通信部１６側で、アンテナコイル８に流れる電流の変化を検出し、復調することによって、ＩＣタグ６から送信されたデータを読み出すことができる。
【００２６】
光ディスク２にデータを書き込む場合、セクタ単位でデータが記録され、セクタごとにアドレス番号が付されている。そして、光ディスク２の記録領域は、あらかじめセクタ単位に仕切られ、セクタごとにアドレス番号を表すピットが形成されている。
【００２７】
次に、本実施の形態の光ディスクレコーダ１の動作について、図２に示すフローチャートを参照しつつ説明する。
【００２８】
光ディスクレコーダ１は、チューナ１１により受信したＴＶ放送信号を光ディスク２に記録する場合、信号変換部１２によりディジタル信号に変換されたＴＶ信号データを、セクタ単位で光ディスク２の記録可能領域における各セクタに順に書き込む（Ｓ１）。その際、ＴＶ信号データが書き込まれたセクタのアドレス番号データ（データの書き込みが完了した範囲を示すアドレス情報に相当）を更新してバッファメモリ１３に書き込む（Ｓ２）。一方、停電検出部１７は、光ディスクレコーダ１の起動中、例えば商用交流電源に停電が発生したか否かを監視する（Ｓ３）。
【００２９】
データの書き込みの途中で停電が発生した場合（Ｓ３でＹＥＳ）、バックアップ用電源２０が作動し、バッファメモリ１３及びデータ通信部１６に電力の供給を開始する（Ｓ４）。これにより、バッファメモリ１３に記憶されている停電発生時に光ディスク２に書き込まれつつあったＴＶ信号データ、まだ光ディスク２に書き込まれていないＴＶ信号データ及び所定量のすでに光ディスク２に書き込まれたＴＶ信号データが一定時間保持される。なお、停電発生により、本来の商用交流電源（図示せず）によって駆動されるチューナ１１、信号変換部１２、システム制御部１４、光ピックアップ駆動部１５及びフロントエンド部１０などは、その機能を停止する。
【００３０】
データ通信部１６は、バッファメモリ１３から、停電発生時にＴＶ信号データを書き込んでいたセクタのアドレス番地データ及び停電発生時にバッファメモリ１３に記憶されていた全ＴＶ信号データを順に読み出し（Ｓ５）、光ディスク２のＩＣタグ６に送信する（Ｓ６）。ＩＣタグ６は、受信した各データをその不揮発性メモリに書き込み、保存する（Ｓ７）。
【００３１】
停電検出部１７により電力の回復が検出されると（Ｓ８でＹＥＳ）、停電発生及び電力回復を示す所定の信号を出力する（Ｓ９）。システム制御部１４は、停電検出部１７からの所定の信号に応じて、データ通信部１６を介してＩＣタグ６からアドレス番地データ及び全ＴＶ信号データを読み出す（Ｓ１０）。そして、光ピックアップ駆動部１５は、光ピックアップ４を駆動して、ＩＣタグ６から読み出したアドレス番号データに基づいて、停電発生時にＴＶ信号データの書き込みを行っていたセクタから、停電発生時に書き込みつつあったＴＶ信号データ及び停電発生時に光ディスクに書き込まれていなかったＴＶ信号データの書き込みを行う（Ｓ１１）。
【００３２】
このように、本実施形態の光ディスクレコーダ１によれば、ＩＣタグ６及びアンテナコイル７を備えた光ディスク２を用いた場合に、データ通信部１６と光ディスク２のＩＣタグ６との間でデータの送受信を行い、停電発生時にＴＶ信号データの書き込みを行っていたセクタのアドレス番号データ及び停電発生時にバッファメモリ１３に記憶されていた全ＴＶ信号データがＩＣタグ６に書き込まれる。ＩＣタグ６は不揮発性メモリであるので、バックアップ電源なしに書き込まれたデータを保存することができる。そして、電力回復時に、ＩＣタグ６に保存されているデータを読み出し、停電発生時にデータの書き込み中であった領域からＩＣタグ６に記憶されていたＴＶ信号データの書き込みを行うことにより、停電発生時までにバッファメモリ１３に記憶されていたＴＶ信号データの再生が可能となる。バックアップ用電源２０は、所定時間、具体的には停電発生時にバッファメモリ１３に記憶されていたデータをＩＣタグ６に書き込むのに十分な時間だけ持てば十分である。さらに、不揮発性メモリとして光ディスク２に設けられたＩＣタグ６を用いているので、電力回復後に光ディスク２が光ディスクレコーダ１から取り出されたとしても、ＩＣタグ６に記憶されたアドレス情報は失われず、再度その光ディスク２を光ディスクレコーダ１に装填すると、停電発生時にＴＶ信号データの書き込み中であった領域からＴＶ信号データの書き込みを続行することができる。
【００３３】
なお、チューナ１１により受信したＴＶ放送信号を光ディスク２に録画しているときに停電が発生した場合、停電発生によりＴＶ放送信号自体の受信ができなくなるので、ＴＶ番組のうち停電中の部分が欠落する。しかしながら、停電によるデータ破壊によりＴＶ番組自体が再生できなくなるよりは、被害を軽減することができる。
【００３４】
また、ＩＣタグ６は不揮発性メモリであるので、それ自体はバックアップ電源が不要となり、光ディスクレコーダ１のバックアップ用電源２０の大容量化やコストアップをもたらすこともない。さらに、ＩＣタグ６は光ディスク２自体に設けられているので、電力回復後に光ディスク２が光ディスクレコーダ１から取り出されたとしても、ＩＣタグ６に記憶されたデータは失われることはない。そのため、再度その光ディスク２を光ディスクレコーダ１に装填すると、停電発生時にデータの書き込み中であった領域（セクタ）からＩＣタグ６に保存されていたデータの書き込みを続行することができる。
【００３５】
なお、ＩＣタグ６の内蔵不揮発性メモリの容量は、記憶するデータのボリュームに応じて任意に設定することができる。また、ＩＣタグ６を有しない光ディスク２に対しては、上記の効果は奏しないが、通常のデータの書き込み及び読み出しができることは言うまでもない。さらに、光ディスク２に書き込まれるデータは上記ＴＶ信号データに限定されず、インターネットを介してダウンロードしたデータなど、その他のデータであってもよい。
【図面の簡単な説明】
【００３６】
【図１】本発明の一実施の形態に係る光ディスクレコーダのブロック構成を示す図。
【図２】上記光ディスクレコーダの動作を示すフローチャート。
【符号の説明】
【００３７】
１  光ディスクレコーダ
２  光ディスク
４  光ピックアップ
６  ＩＣタグ
７  （光ディスク側の）アンテナコイル
８  （データ通信部側の）アンテナコイル
１０  フロントエンド部
１１  チューナ
１２  信号変換部（信号変換手段）
１３  バッファメモリ
１４  システム制御部（制御手段）
１５  光ピックアップ駆動部（光ピックアップ駆動手段）
１６  データ通信部（データ通信手段）
１７  停電検出部（停電検出手段）
２０  バックアップ用電源
【図１】
2005302226.tif 000003
【図２】
2005302226.tif 000004